(57)【特許請求の範囲】
【請求項１】
液晶セルと、液晶セルの背面に配置され裏面に反射シートを有した導光板と、導光板の側面に近接して配置された線状光源と、導光板の裏面に線状光源と接触しないように配置された金属板と、導光板の中央部に対応するよう金属板の背面に密接して配置された樹脂板とを具備したことを特徴とする液晶モジュール。
【請求項２】
液晶セルと、液晶セルの背面に配置され裏面に反射シートを有した導光板と、導光板の側面に近接して配置され反射シートで包囲された線状光源と、少なくとも導光板の裏面に配置されるとともに線状光源を包囲する反射シートの外側の一部のみに近接若しくは当接するように設けられた金属板と、導光板の中央部に対応するよう金属板の背面に密接して配置された樹脂板とを具備したことを特徴とする液晶モジュール。
【発明の詳細な説明】
【０００１】
【産業上の利用分野】
本発明は液晶セルと背面照明手段を有したいわゆる液晶モジュールに関する。
【０００２】
【従来の技術】
従来よりいわゆる液晶モジュールにおいては、特開平４−７５１９号公報に示されるように、液晶セルを周辺の駆動回路や背面の照明手段とともに金属枠に収納して、取扱い易くしていた。このような液晶モジュールにおいては、背面の照明手段として、液晶セルの直下に光源を配置するのではなく、液晶セルの背面に導光板を配置し、その導光板の側面に光源を配置する、いわゆる側面照明式の照明手段が、モジュールを薄く構成できるので好ましいものである。
【０００３】
【発明が解決しようとする課題】
ところがこの様な側面照明式の照明手段を有した液晶モジュールにおいては、点灯された光源の熱がモジュール内に蓄積され易く、時間経過に伴って伝搬し、それに伴って導光板の裏面に設けられた反射シートと導光板の間隙が変化したり場合によっては剥離が生じ、照度ムラが生じたり、液晶セルに伝搬するとコントラスト低下や色呈変化、あるいは白色化となって現れることとなる。しかもこの現象は表示全体に一斉に及ぶのではなく、表示面の一部分から発生しそれが拡大されるので、極めて目立ち、表示品位を著しく低下させることとなる。
【０００４】
そこで液晶モジュールの外ケースである金属枠などに熱伝導させ放熱させることを考えたが、金属枠から外界に向かってのみ熱が放散されるのではなく金属枠から液晶セルにも熱伝搬されるので、先に述べた症状は軽減されることもあったが、むしろ短時間で現れることとなり不都合であった。
【０００５】
【課題を解決するための手段】
本発明は上記の点を考慮して成されたもので、液晶セルの背面に配置され裏面に反射シートを有した導光板との側面に近接して線状光源を配置し、導光板の裏面に線状光源と接触しないように配置された金属板と、導光板の中央部に対応するよう金属板の背面に密接して配置された樹脂板とを設けたものである。又本発明は、線状光源を導光板の側面に近接して配置して反射シートで包囲し、少なくとも導光板の裏面に配置されるとともに、線状光源を包囲する反射シートの外側の一部のみに近接若しくは当接するように設けられた金属板と、導光板の中央部に対応するよう金属板の背面に密接して配置された樹脂板とを設けたものである。
【０００６】
【作用】
これにより金属板が線状光源の熱を直接受けることなく伝搬した熱を均等に拡散させ、かつ樹脂板がその均熱作用を補助するとともに反射シートや金属板を保護する。
【０００７】
【実施例】
図１ａ、ｂは本発明実施例の液晶モジュールの平面図と要部断面図で、１は、２枚の基板１１の間に液晶分子が９０〜２７０度にツイストした構造を持つネマティック液晶が充填され、前後に偏光板１２を有した、液晶セルである。この液晶セル１は必要に応じて液晶駆動用の駆動素子１３をその周辺に接続具備しているが、その駆動素子１３は例えば箔状電極を有する樹脂フィルムに支持されたいわゆるＴＡＢと呼ばれるものを例示しているものの、ベアチップを液晶セル基板若しくは駆動回路基板１４に直接接続固着してもよく、いずれも液晶を駆動するために液晶セル１の周辺部の端子に接続され、共通端子や電源などは駆動素子を支持する駆動回路基板１４に接続すればよい。液晶セル１はこのほか強誘電液晶セルなどが利用できる。
【０００８】
２は、液晶セル１の背面に配置された導光板で、必要に応じて表面には光拡散シートが設けられ、また裏面には反射シート２１を有している。導光板２は例えばアクリル樹脂平板のような光透過特性の優れた平板が、１枚又は複数枚積層して利用され、その裏面には光を拡散させると共に均一照明させるための斑点状印刷塗料や凹凸が適宜設けられているのが好ましい。反射シート２１は非鏡面仕上げをされたアルミニウム箔や白紙などが用いられ、導光板２に貼付されていてもよいが、好ましくは導光板２裏面と反射シート２１の間にわずかばかりの空気層があつて、反射・拡散効率を高めるのがよく、このためには周辺部のみ導光板２に貼付されていたり、後述する背面樹脂板６で支えられるのがよい。
【０００９】
３は、導光板２の側面に近接して配置された線状光源で、蛍光灯や冷陰極管からなり、必要に応じて導光板２の対向する２辺ないしは４辺に配置されるが、多くの場合は１本でよい。この線状光源３は、好ましくは反射シート３１で非接触に包囲され、反射シート３１は略円筒状のアルミニウム箔などからなり、その両端を導光板２に接着固定され、線状光源３の光を効率よく導光板２に導くように構成されている。
【００１０】
４は樹脂成形品等からなる枠体で、導光板２や線状光源３、あるいは線状光源のリード線３２を固定収納し、さらには液晶セル１を支持するものである。液晶セル１の支持に当っては緩衝材などを利用してもよい。また、後述する金属枠７でこれらの構成部品を固定する場合には、この枠体４は不要であり、あるいは液晶セル１と導光板２並びに線状光源３の側面照光型面照明手段を別々にユニット化するためにのみ、この枠体４を用いてもよい。
【００１１】
５は導光板２の裏面に線状光源３と接触しないように配置された金属板で、厚さ０．０１〜１．０ｍｍのアルミニウム板や鉄板からなり、線状光源３に接触しないのはその熱を直接受けないようにしているからである。この金属板５の目的は、伝搬された熱の略均一拡散と、反射シート２１、３１の押さえ、即ち輝度ムラの減少と、反射シート２１の保護であり、この目的のためには、少なくとも導光板２の裏面に配置されるとともに線状光源３を包囲する反射シート３１の外側の一部分のみに近接若しくは当接するように設けても良い。
【００１２】
６は、ポリエエチレンテレフタレートなどのように耐熱・熱伝導性のある絶縁性材料からなる樹脂板で、導光板の中央部に対応するよう金属板５の背面に配置され、金属板５の絶縁性を確保し、反射シート２１や金属板５が損傷するのを保護する目的で用いられ、金属板５が全面露出すると放熱が多く、温度が均一化しないので、金属板５による熱拡散・放熱を一定にする役目も果たす。
【００１３】
７は、これら液晶セル１や導光板２などを一体に収納する金属枠である。この金属枠７は中央に液晶セル表面を観察させるための透孔を有し、また枠体４に爪のカシメで固定する様子を図示しているがこれに限られるものではなく、例えばビス止めしてもよい。
【００１４】
このような構成により、例えば室温で液晶モジュールを点灯し、１５〜６０分経過した後の、液晶表示面の全体の様子を観察し、また液晶表示面でのコントラスト及び点灯個所と非点灯個所の画素の光透過率とをそれぞれ画面の中央及び周辺部で測定したところ、樹脂板のみ用いた場合には１５分経過後には既に画面の一部でコントラスト低下若しくは白色化が生じていたが、本発明の実施例にあっては６０分経過後にあっても画面全体の光透過率の変化は認められたが観察者が不快に感じるような画面局部の、あるいは画面アンバランスを感じさせるようなコントラストや色呈の変化は生じなかった。
【００１５】
【発明の効果】
これにより金属板が線状光源の熱を直接受けることなく伝搬した熱を均等に拡散させ、かつ樹脂板がその均熱作用を補助するとともに反射シートや金属板を保護するので、反射シートの変形や剥離が生じ難くく、照度ムラや液晶表示のコントラスト低下や色呈変化、あるいは白色化が極めて現れにくくなった。この様な現象は表示面の一部分から発生しそれが拡大されるので、極めて目立ち、表示品位を著しく低下させていたが、表示品位を高く保つことができた。
【図面の簡単な説明】
【図１】本発明実施例の液晶モジュールの平面図ａとＡ−Ａ断面図ｂである。
【符号の説明】
１  液晶セル
２  導光板
２１  反射シート
３  線状光源
３１  反射シート
５  金属板
６  樹脂板
【図１】
0003679428.tif 000002